(57)【特許請求の範囲】
【請求項１】
トラクタの後部に連結装置を介して昇降可能に装着され、作業ロータの上方を覆うように固定されたシールドカバーの後部に第１の整地体の前部を枢着し、該第１の整地体の後部に第２の整地体の前部を枢着すると共に、この第１の整地体及び第２の整地体に、下方に突出して圃場中の夾雑物を処理する多数の夾雑物処理体を設けた代掻整地装置において、
前記第２の整地体の夾雑物処理体は、第２の整地体の板状部をプレス加工により三方を打ち抜き、一片を進行方向に沿い屈曲させて下方に突出するようにして形成されると共に、該夾雑物処理体の形成により生じた開口部で水抜き口を形成したことを特徴とする代掻整地装置。
【請求項２】
上記第２の整地体の夾雑物処理体及び水抜き口を第１の整地体にも設けたことを特徴とする請求項１記載の代掻整地装置。
【発明の詳細な説明】
【０００１】
【発明の属する技術分野】
本発明は、第１の整地体及び第２の整地体に、下方に突出して圃場中の夾雑物を処理する多数の夾雑物処理体を設けた代掻整地装置に関する。
【０００２】
【従来の技術】
従来、トラクタの後部に連結装置を介して昇降可能に装着され、作業ロータの上方を覆うように固定されたシールドカバーの後部に第１の整地体の前部を枢着し、該第１の整地体の後部に第２の整地体の前部を枢着すると共に、この第１の整地体及び第２の整地体に、下方に突出して圃場中の夾雑物を処理する多数の夾雑物処理体を設けた代掻装置が、例えば特許第２７２９１６７号公報により知られている。
【０００３】
この先行技術のものは、第１の整地体に、その前側下部から下方に突出されかつこの第１の整地体から後下方に向かって傾斜して突出され、夾雑物を第２の整地体に向けて案内する前後方向の多数のガイド棒を夾雑物を押え込む間隔をおいて並設し、第２の整地体に、その前側下部から下方に突出されると共に後端側を後下方に向かって傾斜して突出され、前記多数のガイド棒にて案内された夾雑物を土中に誘導してこの第２の整地体にて平らに整地される表面部より深く埋め込む前後方向の多数の誘導棒を夾雑物を押え込む間隔をおいて並設したものであった。前記ガイド棒及び誘導棒は、いずれも第１の整地体及び第２の整地体とは別に設けた周知のレーキ状のものであった。
【０００４】
【発明が解決しようとする課題】
上記ガイド棒及び誘導棒は、いずれも前端部を固定し、後端側を自由端にしたレーキ状のものであり、しかも第１の整地体及び第２の整地体とは別に設けられているので、代掻装置が下降してガイド棒及び誘導棒が強く土壌に接したときに基端部から上方に曲がってしまう恐れがあり、また、構造が複雑で重量が重くなってしまう、といった問題点があった。
本発明は上記の問題点を解決することを目的になされたものである。
【０００５】
【課題を解決するための手段】
上記の目的を達成するために本発明は、以下の構成・手段を有している。
Ａ．トラクタの後部に連結装置を介して昇降可能に装着され、作業ロータの上方を覆うように固定されたシールドカバーの後部に第１の整地体の前部を枢着し、該第１の整地体の後部に第２の整地体の前部を枢着すると共に、この第１の整地体及び第２の整地体に、下方に突出して圃場中の夾雑物を処理する多数の夾雑物処理体を設けた代掻整地装置において、前記第２の整地体の夾雑物処理体は、第２の整地体の板状部をプレス加工により三方を打ち抜き、一片を進行方向に沿い屈曲させて下方に突出するようにして形成されると共に、該夾雑物処理体の形成により生じた開口部で水抜き口を形成したことを特徴としている。
【０００６】
Ｂ．上記第２の整地体の夾雑物処理体及び水抜き口を第１の整地体にも設けたことを特徴としている。
【０００７】
【作用】
上記の構成により本発明の代掻整地装置は、以下の作用を行う。
(1)．請求項１の構成により、第２の整地体の夾雑物処理体は、第２の整地体の板状部をプレス加工により三方を打ち抜き、一片を進行方向に沿い屈曲させて下方に突出するようにして形成されていることで、整地体と夾雑物処理体を別々に設けたものに比べ軽量で生産コストが安くなり、また、組付けが容易であり、組立コストが安くなる。特に、第２の整地体の夾雑物処理体は、屈曲部の後端側が前端側と同一条件で板状部により支持されていることで、強度が向上すると共に、夾雑物処理体が土壌に強く接したときでも進行方向の抵抗がなく容易に曲がってしまうことがない。しかも、第２の整地体の板状部からプレス加工により夾雑物処理体を形成すると同時に水抜き口が形成されることで、水抜き口を別に形成する必要がなく、構造が簡略化される。
【０００８】
(2)．請求項２の構成により、第１の整地体においても第２の整地体と同様の作用を奏することができる。
【０００９】
【発明の実施の形態】
以下、本発明の一実施の形態を、添付の図面を参照して具体的に説明する。
【００１０】
図１ないし図３において、符号１は左右方向に所定の長さを有するロータリ代掻整地装置で、その前部が、図示しない連結装置（３点リンク機構）を介してトラクタの後部に昇降可能に連結される。この代掻整地装置１は、トラクタに対してほぼ自動的に着脱され、トラクタのＰＴＯ軸から、ユニバーサルジョイント、伝動シャフト等を介して、伝動フレームを兼ねる本体フレーム２の前側中央部に設けられた変速ギヤボックス３に、入力軸４を介して動力が伝達される。
【００１１】
ギヤボックス３から左右両側に上記本体フレーム２が延び、その一端に側板を兼ねる伝動ケース５が固設され、他端に側板を兼ねる支持フレーム６が伝動ケース５と対向するようにして固設されている。この伝動ケース５と支持フレーム６の下端部間に、砕土・代掻機能を有する周知の作業ロータ７が軸架されている。作業ロータ６の上方は、本体フレーム２に支持されたシールドカバー８により覆われており、このシールドカバー８の後端部に、第１の整地体９の前部を枢着し、該第１の整地体９の後部に第２の整地体１０の前部を枢着すると共に、この第１の整地体９及び第２の整地体１０に、下方に突出して圃場中の夾雑物を土中に処理する多数のレーキ状の第１の夾雑物処理体１１及びプレス加工による第２の夾雑物処理体１２を設けている。
【００１２】
上記第１の夾雑物処理体１１は、従来周知のレーキ状のものと同様に、第１の整地体９の上面に二股状の棒状体の基部を取付け部材１３により左右方向に所定間隔で多数取付け、第１の整地体９の下方に突出させたものである。第２の夾雑物処理体１２は、図４ないし図８に示すように、第２の整地体１０の板状部をプレス加工によりａ、ｂ、ｃの三方を打ち抜き、一片ｄを屈曲させて下方に突出さるようにして形成したもので、前記第１の夾雑物処理体１１，１１間に配置されている。この第２の夾雑物処理体１２の片ｂ部（第２の夾雑物処理体１２の前端側）は船形形状をしており、圃場中の夾雑物を処理するときに夾雑物が引っかからないようになっている。第２の夾雑物処理体１２を形成した第２の整地体１０の板状部には開口部１４が形成されるが、この開口部１４は水抜き口にしてもよい。また、第２の夾雑物処理体１２は図９に示すように角形に形成してもよいが、先端部を夾雑物が引っかからない形状にすることが望ましい。なお、第１の夾雑物処理体１１を、第２の夾雑物処理体１２と同様の手段（プレス加工）により形成してもよい。
【００１３】
第２の整地体１０の後部には、波形状の均平板１５及び水抜き口１５ａが設けられている。また、第２の整地体１０は、操作レバー１６の操作により、第１の整地体９の後部に枢着した枢支軸１７を中心に上下方向に自由に回動する整地位置と、枢支軸１７を中心に起立方向に回動させた姿勢にロックして土寄せする土寄せ姿勢とに切換え可能である。さらに、第２の整地体１０の左右両端部には、延長部１０ａがヒンジ部１０ｂを介して延長使用位置と第２の整地体１０の上側に位置させる不使用状態とに回動可能に枢着されており、起倒操作部１０ｃにより切換えるようにしている。
【００１４】
第１の整地体９と本体フレーム２との間にはコンプレッションロッド１８が介装されていて、第１の整地体９の整地圧が調整可能となっている。また、第２の整地体１０にも整地圧を調整可能の弾持機構が設けられている。第１の整地体９及び第２の整地体１０は、センターピボット１９により左右方向に所定範囲で揺動可能に支持されている。
【００１５】
こような構成の本発明のロータリ代掻整地装置１においては、砕土・代掻整地作業を行うときは、トラクタに３点リンク機構を介して装着されて水田に導入されて作業を行う。ロータリ代掻整地装置１は、トラクタから入力軸４に動力を受け、ギヤボックス３で変速されて本体フレーム４から伝動ケース５に伝達され、作業ロータ７を駆動して砕土・代掻整地作業を行う。作業ロータ７により砕土・代掻された土壌は、シールドカバー８及び第１の整地体９に案内されて作業ロータ７の後方に放てきされ、第１の整地体９及び第２の整地体１０により整地均平される。
【００１６】
第１の整地体９では、作業ロータ７により砕土・代掻されて後方に放てきされた土壌を受けて荒く整地し、土壌中の夾雑物は第１の夾雑物処理体１１により土壌表面より低い位置に押し下げた状態で後方に送られる。第２の整地体１０では、均平板１５及び水抜き口１５ａとともに第１の整地体９により粗整地された土壌をさらに細かく整地均平する。第１の夾雑物処理体１１により土壌表面より低い位置に押し下げられた状態で後方に送られる夾雑物は、第２の夾雑物処理体１２に引き継がれて第２の整地体１０及び均平板１５により整地均平された土壌表面より低い位置に埋没される。なお、第１の整地体９及び第２の整地体１０は、センターピボット１９を中心に左右に揺動して土壌表面にほぼ均等に接して整地均平作業を行う。
【００１７】
ロータリ代掻整地装置１による代掻整地作業が進んで、代掻圃場全体の均平を行うとき、例えば、畦畔際の高くなった部分の土壌を低い側へ移動させるときには、整地均平作業を中断し、トラクタによりロータリ代掻整地装置１を持ち上げて操作レバー１６により第２の整地体１０を土寄せ状態に切換えて固定し、圃場に下ろして土寄せ作業を行う。
【００１８】
【発明の効果】
以上説明したように、本発明の代掻整地装置によれば、以下の効果を奏することができる。
【００１９】
(1)．第２の整地体の夾雑物処理体は、第２の整地体の板状部をプレス加工により三方を打ち抜き、一片を進行方向に沿い屈曲させて下方に突出するようにして形成したので、第２の整地体とその夾雑物処理体が一体的に形成されているから、整地体と夾雑物処理体を別々に設けたものに比べ軽量で生産コストが安くなり、また、組付けが容易であり、組立コストを安くすることができる。特に、第２の整地体の夾雑物処理体は、屈曲部の後端側が前端側と同一条件で板状部により支持されているから、強度が向上して夾雑物処理体が強くなると共に、夾雑物処理体が土壌に強く接したときにも進行方向の抵抗がなく容易に曲がるようなことがない。
【００２０】
しかも、第２の整地体の板状部からプレス加工により夾雑物処理体を形成すると同時に水抜き口が形成されることになり、水抜き口を別に形成する必要がなく、構造を簡略化することができる。
【００２１】
(2)．第２の整地体の夾雑物処理体及び水抜き口を第１の整地体にも設けたので、第１の整地体においても第２の整地体と同様の効果を得ることができる。
【図面の簡単な説明】
【図１】本発明を適用したロータリ代掻整地装置の一部断面した背面図である。
【図２】同ロータリ代掻整地装置の側面図である。
【図３】同ロータリ代掻整地装置の一部透視した側面図である。
【図４】第２の整地体の平面図である。
【図５】第２の整地体の背面図である。
【図６】図４の側面図である。
【図７】図４のＡ−Ａ線断面図である。
【図８】図４のＢ−Ｂ線断面図である。
【図９】本発明の夾雑物処理体の他の実施例の斜視図である。
【符号の説明】
１  ロータリ代掻整地装置
２  本体フレーム
３  ギヤボックス
４  入力軸
５  伝動ケース（側板兼用）
６  支持フレーム（側板兼用）
７  作業ロータ
８  シールドカバー
９  第１の整地体
１０  第２の整地体  １０ａ  延長部  １０ｂ  ヒンジ部  １０ｃ  起倒操作部
１１  第１の夾雑物処理体
１２  第２の夾雑物処理体
ａ，ｂ，ｃ  プレス加工による打ち抜き部分  ｄ  プレス加工による屈曲部分
１３  レーキ状の夾雑物処理体の取付け部材
１４  開口部
１５  水抜き均平板  １５ａ  水抜き口
１６  操作レバー
１７  枢支軸
１８  コンプレッションロッド
１９  センターピボット
【図１】
0003995070.tif 000002
【図２】
0003995070.tif 000003
【図３】
0003995070.tif 000004
【図４】
0003995070.tif 000005
【図５】
0003995070.tif 000006
【図６】
0003995070.tif 000007
【図７】
0003995070.tif 000008
【図８】
0003995070.tif 000009
【図９】
0003995070.tif 000010